(57)【要約】【課題】センサが検出した不良ラベルだけを確実且つ安定して除去することができ、且つ、構成の簡素化を図ることのできるラベルリジェクト装置を提供すること。【解決手段】帯状のベースシートＳ１に貼付された複数のラベルＬを含んでラベルシートＳが構成されている。ラベルリジェクト装置１０は、繰り出されるラベルシートＳを支持するとともに、下流側端部１３Ａが板状をなす第１のガイド１３と、この第１のガイド１３の繰出方向下流側に設けられた第２のガイド１４と、この第２のガイド１４を移動させる移動手段１６と、ラベルＬの異常を検出するとともに、移動手段１６を所定動作させる信号を出力するセンサ１８とを備えて構成されている。第２のガイド１４は、センサ１８がラベルＬの異常を検出したときに、下流側端部１３Ａをピールプレートとして機能させる位置に移動する。【選択図】      図２
2004203453.tif 000002
【特許請求の範囲】
【請求項１】
帯状のベースシートに貼付された複数のラベルを含むラベルシートを繰り出す過程で、不良ラベルを取り除くラベルリジェクト装置であって、
前記ラベルシートを支持するとともに、少なくとも下流側端部が板状をなす第１のガイドと、この第１のガイドの繰出方向下流側に設けられた第２のガイドと、この第２のガイドを移動させる移動手段と、前記ラベルの異常を検出するとともに、移動手段を所定動作させる信号を出力するセンサとを備え、
前記第２のガイドは、常時は、ベースシートにラベルが貼付された状態で繰り出しを許容する位置に保たれる一方、前記センサがラベルの異常を検出したときに、前記第１のガイドの下流側端部をピールプレートとして機能させる位置に移動可能に設けられていることを特徴とするラベルリジェクト装置。
【請求項２】
前記第１のガイドの下流側端部に位置して不良ラベルを保持可能な保持手段と、この保持手段が不良ラベルを保持するときに、不良ラベルに非接触な状態で当該不良ラベルを保持手段側に付勢する付勢手段とを備えていることを特徴とする請求項１記載のラベルリジェクト装置。
【請求項３】
前記付勢手段は、移動手段により第２のガイドと共に移動可能に設けられ、常時は、ラベルシートから離れた退避位置に保たれる一方、センサが不良ラベルを検出したときに、前記退避位置から不良ラベルを付勢する位置に移動することを特徴とする請求項２記載のラベルリジェクト装置。
【請求項４】
前記保持手段で不良ラベルを除去するときに、ベースシートの浮き上がり規制を行う押さえ部材を更に含むことを特徴とする請求項２又は３記載のラベルリジェクト装置。
【発明の詳細な説明】
【０００１】
【発明の属する技術分野】
本発明は、ラベルリジェクト装置に係り、更に詳しくは、センサによって異常が検出されたラベルをベースシートから自動的に除去することのできるラベルリジェクト装置に関する。
【０００２】
【従来の技術】
従来より、小売店やレンタルショップ等において、ＣＤ等の商品の盗難を防止するため、特定周波数の電波に共振するＩＣタグ（特許文献１参照）等のラベルが広く利用されている。このようなラベルにあっては、ベースシートに複数枚貼付されたラベルシートとして流通される形態が一般的であり、このとき、特定周波数の電波に共振しない不良ラベルを検出してベースシートから予め除去する必要がある。そこで、帯状のベースシートを繰り出す過程でセンサにより不良ラベルを検出し、当該不良ラベルの表面に所定のマークを付する検査装置が存在する。
【０００３】
しかしながら、このような検査装置では、マークの付されていない正常なラベルとマークが付された不良ラベルとが混在することとなる。従って、このようなラベルシートが流通すると、マークを見落として商品等に不良ラベルが誤って貼付されることが考えられ、不良ラベルをベースシートから剥離した状態とすることが望まれる。
一般に、ラベルを剥離するための装置として、例えば、特許文献２に開示される装置が存在する。同装置は、繰り出されるラベルシートを折り返し可能なピールプレートと、このピールプレートにより部分的に剥離されたラベルを吸着可能な保持部とを備えて構成されている。
【０００４】
【特許文献１】
特開２００１−８４４６３号公報
【特許文献２】
特開平１０−３１０１１９号公報
【０００５】
【発明が解決しようとする課題】
しかしながら、このような剥離装置にあっては、全てのラベルを剥離するものであり、前述したラベルシートのように正常なラベルと不良ラベルとが混在する場合、不良ラベルだけを選択的に剥離して除去することには適合していない。
【０００６】
【発明の目的】
本発明は、このような不都合に着目して案出されたものであり、その目的は、不良ラベルだけを確実に除去することができ、且つ、構成の簡素化を図ることのできるラベルリジェクト装置を提供することにある。
【０００７】
【課題を解決するための手段】
前記目的を達成するため、本発明は、帯状のベースシートに貼付された複数のラベルを含むラベルシートを繰り出す過程で、不良ラベルを取り除くラベルリジェクト装置であって、
前記ラベルシートを支持するとともに、少なくとも下流側端部が板状をなす第１のガイドと、この第１のガイドの繰出方向下流側に設けられた第２のガイドと、この第２のガイドを移動させる移動手段と、前記ラベルの異常を検出するとともに、移動手段を所定動作させる信号を出力するセンサとを備え、
前記第２のガイドは、常時は、ベースシートにラベルが貼付された状態で繰り出しを許容する位置に保たれる一方、前記センサがラベルの異常を検出したときに、前記第１のガイドの下流側端部をピールプレートとして機能させる位置に移動可能に設けられる、という構成を採っている。このような構成によれば、複数枚のラベルのうち、不良ラベルだけを自動的に剥離することができる。また、第１のガイドを必要に応じてベースシートのガイド部材又はピールプレートとして選択的に用いることができ、装置全体の簡素化を達成することが可能となる。
【０００８】
本発明において、前記第１のガイドの下流側端部に位置して不良ラベルを保持可能な保持手段と、この保持手段が不良ラベルを保持するときに、不良ラベルに非接触な状態で当該不良ラベルを保持手段側に付勢する付勢手段とを備える、という構成を採ることが好ましい。このような構成によれば、不良ラベルの除去を簡単且つ安定的に行うことができる。しかも、センサと保持手段の両者を含んでラベルリジェクト装置が構成されるため、検査装置と剥離装置とを別個に設ける必要性がなくなり、製造ラインの簡素化をも達成することが可能となる。
【０００９】
また、前記付勢手段は、移動手段により第２のガイドと共に移動可能に設けられ、常時は、ラベルシートから離れた退避位置に保たれる一方、センサが不良ラベルを検出したときに、前記退避位置から不良ラベルを付勢する位置に移動する、という構成も採用することができる。このような構成を採れば、付勢手段の位置設定を容易に行うことができ、且つ、付勢手段が移動手段を利用して移動するので、部品点数の削減を図ることができる。
【００１０】
更に、前記保持手段で不良ラベルを除去するときに、ベースシートの浮き上がり規制を行う押さえ部材を更に含む、という構成も好ましくは採用される。このような構成では、不良ラベルの剥離をより安定して行うことができる。
【００１１】
なお、本明細書における方向若しくは位置を示す用語は、特に明示しない限り、図１を基準として用いるものとする。
【００１２】
【発明の実施の形態】
以下、本発明の実施の形態について説明する。
【００１３】
図１には、本実施形態に係るラベルリジェクト装置の部分正面図が示され、図２には、図１の要部拡大正面図が示されている。また、図３には、図１の要部概略斜視図が示されている。これらの図において、ラベルリジェクト装置１０は、筐体を形成する前面部１１に支持されるとともに、ラベルシートＳを図１中矢印Ａ方向に繰り出す供給リール（図示省略）及び巻取リール１２と、ラベルシートＳを下面側から支持する第１のガイド１３と、この第１のガイド１３の繰出方向下流側（図１中右側）に設けられた第２のガイド１４と、この第２のガイド１４の左下側に設けられて当該第２のガイド１４を移動させる移動手段１６と、第１のガイド１３の繰出方向上流側（図１中左側）に設けられたスタンパ１７と、第１のガイド１３の上面側に位置するセンサ１８と、第１及び第２のガイド１３，１４の上方位置に設けられた保持手段１９と、第２のガイド１４と共に移動可能な付勢手段２０とを備えて構成されている。
【００１４】
前記ラベルシートＳは、帯状に延びる細長い剥離紙からなるベースシートＳ１と、このベースシートＳ１に貼付された多数枚のラベルＬとにより構成されている。ラベルＬは、特に限定されるものでないが、本実施形態では、特定の動作周波数の電波に共振する回路を有するＩＤタグ等が用いられる。
【００１５】
前記巻取リール１２の図１中右側には、張力付与ローラ１２Ａが設けられ、これにより、上下方向に向けられたラベルシートＳの弛みを防止できるようになっている。
【００１６】
前記第１のガイド１３は、図３に示されるように、平面視略長方形状をなす薄板状に形成され、ベースシートＳ１の幅方向両側がはみ出さない幅寸法に設定されている。また、第１のガイド１３は、図２に示されるように、その下面側に設けられた左右一対のブラケット２２，２２を介して前記前面部１１に支持されている。
【００１７】
前記第２のガイド１４は、図２及び図３に示されるように、相互に略平行に位置する一対のフレーム２３，２３間に設けられた送り出しローラ２４と、この送り出しローラ２４の右側に位置するとともに、ラベルシートＳを送り出しローラ２４の外面に押さえ付けるニップローラ２５とを備えて構成されている。送り出しローラ２４は、その上端部が第１のガイド１３の上面と略同一の高さ位置において当該第１のガイド１３の下流側端部１３Ａ（図２中右端）よりも下流側（右側）に位置するように設けられ、この位置でラベルシートＳの繰り出しを許容する。また、送り出しローラ２４の下方位置には、モータ２７が設けられ、このモータ２７及び送り出しローラ２４を図示しないベルトを介して連結することで送り出しローラ２４が繰出方向に回転するようになっている。更に、ニップローラ２５は、各フレーム２３，２３の相対面間に延びる連結部材２８を介して支持されている。
【００１８】
前記移動手段１６は、右上がりに傾斜する方向に向けられたシリンダにより構成されている。この移動手段１６は、前記フレーム２３の左端側に先端領域が固定されたロッド２９と、前記前面部１１に取り付けられてロッド２９を進退させるシリンダ本体３０とを備えており、ロッド２９の進退移動により、フレーム２３と共に第２のガイド１４をロッド２９の進退方向に沿って移動させるようになっている（図２及び図４参照）。なお、前面部１１側のフレーム２３と前面部１１との間には、図示しないスライドレールが取り付けられており、第２のガイド１４の移動を補助している。
【００１９】
前記スタンパ１７は、前面部１１に支持プレート３２を介して支持されているとともに、上下方向に沿って移動してラベルＬの上面にマークＭ（図３参照）をスタンプ可能に設けられている。スタンパ１７の下方位置であってラベルシートＳの下面側には、スタンプ時のラベルシートＳを支える受け台３３が設けられている。また、スタンパ１７の繰出方向上流側（図１中左側）におけるラベルシートＳの下方位置には、共振検査用センサ３４が設置されており、この共振検査用センサ３４が特定の動作周波数に共振しないラベルＬを検出したときに、当該ラベルＬにマークＭ（図３参照）をスタンプするようになっている。ここで、マークＭがスタンプされたラベルＬを不良ラベルＬ１とする。
【００２０】
前記センサ１８は、図３に示されるように、前記マークＭを検出可能な位置に設けられるとともに、平面視略Ｌ字状をなす押さえ部材３６に支持されている。
押さえ部材３６は、第１のガイド１３の上面との間にラベルシートＳの通過を許容する程度の隙間を介して配置され、前記前面部１１に取り付けられてラベルシートＳの上面側に延びる横行部材３７と、この横行部材３７に連なって繰出方向下流側に向けられるとともに、先端が第１のガイド１３の下流側端部１３Ａより若干上流側に位置する屈曲部３８とを備えている。
【００２１】
前記保持手段１９は、第１のガイド１３の下流側端部１３Ａに位置する不良ラベルＬ１を保持し、これをフレーム２３の右上側に位置する載置台４０に移送可能に設けられている。具体的には、保持手段１９は、前面部１１における右上コーナー領域に設けられて左右方向に延びる移動手段４１と、この移動手段４１に沿って移動可能に設けられた保持用シリンダ４２と、この保持用シリンダ４２におけるロッド４２Ａの先端部に設けられるとともに、下面側で不良ラベルＬ１の上面を吸着可能な吸着部４３とを備えて構成されている。吸着部４３の下面側（ラベルＬ側）には、多数の穴が設けられ、図示しないホース等を介して図示しない真空発生装置によりラベルＬを吸着可能となっている。
【００２２】
前記付勢手段２０は、前面部１１側に位置するフレーム２３の上部側に固定された細長い起立プレート４５と、この起立プレート４５の上端側に設けられてラベルシートＳの幅方向に沿って延びる中空状の円筒部材４６とを備えて構成されている。円筒部材４６は、上面側に三つの穴４６Ａを備えている一方、内部に図示しないホースを介して空気が供給され、各穴４６Ａから空気を上向きに吹き出し可能となっている。
【００２３】
なお、本実施形態における巻取リール１２、移動手段１６、スタンパ１７、センサ１８、保持手段１９、モータ２７、共振検査用センサ３４、移動手段４１は、図示しない制御装置を介して制御される。
【００２４】
次に、前記実施形態における全体的動作について説明する。
【００２５】
ラベルシートＳが繰り出される過程で不良ラベルＬ１を取り除く場合、先ず、共振検査用センサ３４により、各ラベルＬにおける特定の動作周波数に対する共振の有無を検出する。ここで、ラベルＬが共振しない場合、当該ラベルＬにスタンパ１７によりマークＭをスタンプして不良ラベルＬ１（図２中、網点で表示）とする。
【００２６】
次いで、不良ラベルＬ１が繰り出されてマークＭをセンサ１８が検出すると、当該センサ１８が前記制御装置に信号を出力し、不良ラベルＬ１が第１のガイド１３の下流側端部上に位置したときに、ラベルシートＳの繰り出しが一旦停止される。この状態で、移動手段１６のロッド２９を後退させ、図４に示されるように、送り出しローラ２４及びニップローラ２５により挟み込まれたラベルシートＳを左下方向に移動し、第１のガイド１３における下流側端部１３Ａの下側に円筒部材４６を位置させる。このとき、前記下流側端部１３Ａがピールプレートとして機能してベースシートＳ１が折り返され、不良ラベルＬがベースシートＳ１から部分的に剥離された状態となる。
【００２７】
その後、保持用シリンダ４２のロッド４２Ａが下降して吸着部４３により不良ラベルＬ１の上面側を吸着する。このとき、円筒部材４６の各穴４６Ａから空気が上方に吹き出され、不良ラベルＬ１が垂れ下がっていたとしても、吸着部４３に不良ラベルＬ１が密着できるように吸着部４３側に付勢される。次いで、吸着部４３を上昇させることにより、押さえ部材３６の屈曲部３８によってベースシートＳ１の浮き上がりが規制された状態で、不良ラベルＬ１がラベルシートＳ１から完全に剥離される。そして、移動手段４１により保持用シリンダ４２を図４中右方向にスライドし、吸着された不良ラベルＬ１を載置台４０上に載せる。
【００２８】
このように、不良ラベルＬ１を除去した後、移動手段１６のロッドが前進して図２に示されるように、送り出しローラ２４及びニップローラ２５が初期位置に復帰し、筒状部材４６がラベルシートＳから離れた位置に退避することとなる。
【００２９】
従って、このような実施形態によれば、第１のガイド１３をヒールプレートとして機能させることもできるから、不良ラベルＬ１だけを除去したラベルシートＳを簡単に作成することができる。また、フレーム２３に付勢手段２０を取り付けたので、当該付勢手段２０と第２のガイド１４とを連動させることができ、不良ラベルＬ１の剥離を迅速に行うことが可能となる。
【００３０】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
例えば、前記第１のガイド１３は、例えば、下流側端部１３Ａが尖った形状、すなわち、繰出方向下流側に向かうに従って次第に板厚が薄くなる構成としてもよい。これにより、ベースシートＳ１の折り返しをより良好に行える点で有利となる。
また、移動手段１６は、種々の設計変更が可能であり、例えば、前面部１１に第２のガイド１４の移動方向に延びる駆動レールを設け、この駆動レールに第２のガイド１４を支持させてスライド移動させる構成としてもよい。要するに、本発明は、ラベルＬがベースシートＳ１に貼付された状態の繰り出しを許容し、且つ、第１のガイド１３をピールプレートとして機能させるように第２のガイド１４を移動可能に設けられていれば足りる。
また、センサ１８は、スタンパ３７により付されたマークＭを検出する構成としたが、センサ１８に共振検査用センサ３４と同等の機能を持たせ、当該共振検査用センサ３４及びスタンパ３７を省略してもよい。
【００３１】
【発明の効果】
以上説明したように、本発明における第２のガイドは、常時は、ベースシートにラベルが貼付された状態でラベルシートの繰り出しを許容する一方、センサが不良ラベルを検出したときに、第１のガイドの下流側端部をピールプレートとして機能させる位置に移動可能な構成を採用したから、不良ラベルだけを容易に除去することができ、且つ、第１のガイドに二つの機能、すなわち、ガイド部材及びヒールプレートとしての機能を発揮させることにより、装置全体の構成の簡略化を達成することが可能となる。
【００３２】
また、不良ラベルを保持可能な保持手段と、この保持手段側に不良ラベルを非接触な状態で付勢する付勢手段とを含む構成とした場合には、不良ラベルを確実且つ安定的に除去することができる。
【００３３】
更に、付勢手段は、ラベルシートから離れた退避位置と不良ラベルの付勢を行う位置との間で、移動手段により第２のガイドと共に移動可能に設けられているから、付勢手段の位置設定の容易化を通じて不良ラベルの除去を迅速に行えるようになり、また、移動手段の他に付勢手段を移動させる装置を設けなくてよいため、部品点数の削減を図ることができる。
【００３４】
また、ベースシートの浮き上がり規制を行う押さえ部材を更に含む構成とした場合には、不良ラベルをより安定的に剥離することができる。
【図面の簡単な説明】
【図１】実施形態に係るラベルリジェクト装置の部分概略正面図。
【図２】図１の要部拡大正面図。
【図３】図１の要部概略斜視図。
【図４】第１のガイドをピールプレートとして機能させた状態を示す図２と同様の正面図。
【符号の説明】
１０  ラベルリジェクト装置
１３  第１のガイド
１３Ａ  下流側端部
１４  第２のガイド
１６  移動手段
１８  センサ
１９  保持手段
２０  付勢手段
３６  押さえ部材
Ｓ  ラベルシート
Ｓ１  ベースシート
Ｌ  ラベル
Ｌ１  不良ラベル
【図１】
2004203453.tif 000003
【図２】
2004203453.tif 000004
【図３】
2004203453.tif 000005
【図４】
2004203453.tif 000006